(57)【要約】【課題】足底部分の吸湿性が高く、かつ、吸湿性が高い足底部を編成しても見映えが美しいパンティストッキングを提供する。【解決手段】このパンティストッキングは、腹部および臀部を被覆するパンティ部と、脚部を被覆するレッグ部と、足部を被覆するフット部とを備え、フット部にカットボスの編地で編成した吸湿領域を備える。この吸湿領域は周辺部５２と吸湿部５４とを含み、周辺部５２は高機能ナイロン長繊維１５２をカットボスして増糸し、吸湿部５４は綿糸１５４をカットボスして増糸するとともに、増糸した糸をコース方向にループとミスとを繰り返すフロート編みした編地で編成した。【選択図】図４
2019039109.tif 000002
【特許請求の範囲】
【請求項１】
少なくともフット部を備え、合成繊維を含んで一体的に編成された伸縮性編地により形成された下半身用衣類であって、
前記フット部の少なくとも一部に、吸湿性の高い糸をカットボスで増糸するとともに、前記吸湿性の高い糸をコース方向にループとミスとを繰り返すフロート編みした編地で編成した吸湿部を備えることを特徴とする下半身用衣類。
【請求項２】
前記吸湿部の周囲に、親水性を付与した長繊維からなる糸を用いた編地で編成した周辺部を備えることを特徴とする、請求項１に記載の下半身用衣類。
【発明の詳細な説明】
【技術分野】
【０００１】
本発明は、下半身用衣類である、フット部とレッグ部（レッグ部の長さは限定されない）とを備えたストッキング、さらにパンティ部を備えたパンティストッキングまたはタイツ等に関し、特に、少なくともフット部を備えた下半身用衣類であって、足底部の吸湿性が高く、さらに吸湿性を高い足底部を編成しても見映えが美しい、下半身用衣類に関する。
【背景技術】
【０００２】
近年の生活習慣上、人が靴を履くときに足に装着する衣類としての靴下を多くの人々が使用している。そのような衣類の中で、特に、女性の下半身を覆うストッキングは、外出時における女性の脚部の保護さらには脚線美の向上の観点等から、広く世間に浸透している。
現在市販されているほとんどのストッキングは、ナイロン糸、または、ナイロン糸とポリウレタン糸とで編まれている。使用している糸により、「交編」および「ゾッキ」の２種類に大別される。
【０００３】
交編（交編編み）は、ナイロン糸と、サポート糸（ポリウレタン弾性糸を芯糸としてナイロン糸を巻き付けたカバリング糸）を交互に使用して編成する。ある程度のサポート（弾性）力および透明感の両方を求めるときに好適である。太さの異なる２種類の糸を使用するため横縞模様が表れる。
ゾッキ（ゾッキ編み）は、一般的にはサポート糸（ポリウレタン弾性糸を芯糸としてナイロン糸を巻き付けたカバリング糸）だけで編成されているものが多い。良好なフィット性を求めるときに好適である。また、いわゆる伝線（使用中に編み組織の一部に引掛傷ができ糸が切れると生成される編組織が解編されたはしご状の線）が発生しにくいという特徴を備えたゾッキ編みのストッキングが、最近では増えてきている。
【０００４】
このようにストッキングは、ナイロン糸から編成された伸縮性編地またはナイロン糸とポリウレタン糸とから編成された伸縮性編地により形成される合成繊維素材であるために吸湿性が不十分で着用時に蒸れやすく汗ばみ易やすい。一方、人間はじっとしていても不感蒸泄により一日あたり８５０ｇの汗をかくと言われ、特に足の裏は、運動のみでなくストレスからも発汗が促進されることから、このようなストッキング着用時に発汗による不快感で悩んでいる人は多い。さらに、このようなストッキング着用時に、革靴、運動靴、長靴、ブーツ等の足がスッポリと入る履物は、中の空気と外の空気が入れ替わり難いことから、足の裏からの発汗による不快感は非常に高いものである。
【０００５】
このような問題点に関連して、足部の発汗を効果的に吸湿してむれによる不快感を解消することができるストッキングが提案されている。たとえば、本願出願人の出願に係る特開２０１５−０４８５５１号公報（特許文献１）は、足底部分の吸湿性が高く、かつ、靴を履いたときに滑りが発生することを防止するパンティストッキングを開示する。このパンティストッキングは、少なくともフット部を備え、合成繊維から編成された伸縮性編地により形成された下半身用衣類であって、前記フット部の足裏当接側の少なくとも一部に吸湿性の高い天然繊維を添え糸編みした吸湿部を備え、前記吸湿部の一部は添え糸編みされていないことを特徴とする。
【先行技術文献】
【特許文献】
【０００６】
【特許文献１】特開２０１５−０４８５５１号公報
【発明の概要】
【発明が解決しようとする課題】
【０００７】
上述した特許文献１に開示されたパンティストッキングによると、そのフット部の足裏当接側の少なくとも一部であって好ましくは足指元近傍から土踏まず前端近傍に吸湿部が、綿糸を添え糸編みした吸湿領域および綿糸を添え糸編みしていない透湿領域で編成されている。このため、吸湿部の吸湿領域により足の裏から発生した汗が吸収されて不快感は
解消されるとともに、吸湿部の透湿領域により靴内底へ汗の水分が浸透して靴内底とパンティストッキングとの滑りを防止することができる。その結果、足底部分の吸湿性が高く、かつ、靴を履いたときに滑りが発生することを防止することができ、市場においても非常に高い評価を得ているパンティストッキングとなっている。
【０００８】
ところで、本願出願人は、このようなパンティストッキングのさらなる開発を進めるにあたり、（１）吸湿性と履き心地との両方をさらに向上させる点、（２）編成の差異（たとえば特許文献１に開示されたパンティストッキングにおいては綿糸を添え糸編みした吸湿領域と綿糸を添え糸編みしていない透湿領域との編成の差異）による見映えの違いを少なくして見映えを美しくする点、に着目した。
【０００９】
本発明は、従来技術の上述の問題点に鑑みて開発されたものであり、その目的とするところは、足底部分の吸湿性が高く、かつ、さらに吸湿性を高い足底部を編成しても見映えが美しい下半身用衣類を提供することである。
【課題を解決するための手段】
【００１０】
上記目的を達成するため、本発明に係る下半身用衣類は以下の技術的手段を講じている。
すなわち、本発明に係る下半身用衣類は、少なくともフット部を備え、合成繊維を含んで一体的に編成された伸縮性編地により形成された下半身用衣類であって、前記フット部の少なくとも一部に、吸湿性の高い糸をカットボスで増糸するとともに、前記吸湿性の高い糸をコース方向にループとミスとを繰り返すフロート編みした編地で編成した吸湿部を備えることを特徴とする。
【００１１】
好ましくは、前記吸湿部の周囲に、親水性を付与した長繊維からなる糸を用いた編地で編成した周辺部を備えるように構成することができる。
さらに好ましくは、前記吸湿性の高い糸は短繊維であるように構成することができる。
さらに好ましくは、前記親水性を付与した長繊維からなる糸は、高吸放湿性を備えたナイロン糸であるように構成することができる。
【００１２】
さらに好ましくは、前記周辺部は、親水性を付与した長繊維からなる糸をカットボスで付加するとともに、前記親水性を付与した糸をコース方向にループとミスとを繰り返すフロート編みした編地で編成するように構成することができる。
さらに好ましくは、前記フロート編みは、１ループに対するミスの割合が２〜５であるように構成することができる。
【発明の効果】
【００１３】
本発明の下半身用衣類によれば、足底部分の吸湿性が高く、かつ、さらに吸湿性を高い足底部を編成しても見映えが美しい下半身用衣類を提供することができる。
【図面の簡単な説明】
【００１４】
【図１】本発明の実施の形態に係るパンティストッキングを平面に載置した状態における、（Ａ）側面図、（Ｂ）正面図である。
【図２】図１のパンティストッキングを着用した状態におけるフット部についての、（Ａ）斜視図、（Ｂ）親指側側面図、（Ｃ）小指側側面図である。
【図３】図１のパンティストッキングを着用して爪先立ちした状態におけるフット部についての、（Ａ）爪先側斜視図（表側）、（Ｂ）爪先側斜視図（裏側：裏返し）、（Ｃ）踵側斜視図（表側）、（Ｄ）踵側斜視図（裏側：裏返し）である。
【図４】図１のパンティストッキングにおける周辺部５２および吸湿部５４の編み組織を示す模式図である。
【発明を実施するための形態】
【００１５】
以下、本発明の実施の形態に係るパンティストッキング１を、図面に基づき詳しく説明する。
このパンティストッキング１を平面に載置した状態における側面図を図１（Ａ）に、その正面図を図１（Ｂ）にそれぞれ示す。図１（Ｂ）は正面図であるので、フット部５は足裏側ではなく足甲側が示されている。このパンティストッキング１は、通常のパンティストッキング等の下半身用衣類と同じく、腹部および臀部を被覆するパンティ部３と、脚部
を被覆するレッグ部２と、足部を被覆するフット部５とを備えるものである。このパンティストッキング１は、筒状に編成された１対の編地を用い、パンティ部３に相当する部分に切れ目を入れて裁断縁どうしをつき合わせて股部４を縫着して一体化することにより製造される。また、限定されるものではないが、フット部５の先端部５３は周知の手段により、袋状に編成したり、開口部を縫合したりすることにより製造される。
【００１６】
なお、本実施の形態に係る下半身用衣類をパンティストッキングとしているが、本発明は少なくともフット部を備えるストッキング、ショートストッキング、タイツ、靴下等の下半身用衣類を含む。
このパンティストッキング１は、ナイロン糸と、サポート糸（ポリウレタン弾性糸を芯糸としてナイロン糸を巻き付けたカバリング糸）を交互に使用して編成した交編編みであっても、ポリウレタン弾性糸を芯糸としてナイロン糸を巻き付けたカバリング糸の１種類のみで編成したゾッキ編みであっても、後述する特徴（フット部５の少なくとも一部に吸湿領域５０を備え、吸湿領域５０が吸湿部５４と（さらに本発明の任意構成要件であるこの吸湿部５４の周囲に設けられた）周辺部５２とで構成されているという特徴）を備え、かつ、合成繊維を含んで一体的に編成された伸縮性編地により形成されたパンティストッキングであれば構わない。このパンティストッキング１においては、レッグ部２と（後述する吸湿領域５０を除く）フット部５とは同じ編糸および同じ編成であって（編地５１で図示されこの編地５１はたとえばカバリング糸の平編み（ゾッキ編み））、限定されるものではないがこれら（レッグ部２、フット部５）とパンティ部３とは異なる編糸または編成である。また、パンティ部３の上端には伸縮性の低い（伸びにくい）ゴム編み等によりウエスト部３１が編成されており、着用時に腹部を締めてパンティストッキング１がずり下がることを防止している。
【００１７】
なお、上述した以外にもパンティストッキングの構造には様々なものがあり、本発明は特定の構造に限定されるものではなく、フット部５の少なくとも一部に上述した吸湿領域５０を備えるという特徴を備えたものであれば、どのようなパンティストッキングの構造であっても、パンティストッキングを構成する生地の種類、生地の型紙およびその縫製がどのようなものであっても構わない。そのため、本実施の形態に係るパンティストッキング１において、特徴以外の構造自体は単なる例示でしかない。
【００１８】
図１に加えて図２〜図４を参照して、このパンティストッキング１の特徴について詳しく説明する。図２（Ａ）は、このパンティストッキング１を着用した状態におけるフット部５についての斜視図であって、図２（Ｂ）はその親指側側面図であって、図２（Ｃ）はその小指側側面図である。図３（Ａ）は、このパンティストッキング１を着用して爪先立ちした状態におけるフット部５についての（Ａ）爪先側斜視図（表側）であって、図３（Ｂ）はその爪先側斜視図（裏側：裏返し）であって、図３（Ｃ）はその踵側斜視図（表側）であって、図３（Ｄ）はその踵側斜視図（裏側：裏返し）である。さらに、図４は、このパンティストッキング１における吸湿領域５０（周辺部５２および吸湿部５４）の編み組織を示す模式的な図である。
【００１９】
ここで、図２および図３は、着用者の足Ｆにこのパンティストッキング１を着用している状態を想定している。すなわち、本実施の形態に係るパンティストッキング１は、パンティストッキング等に通常用いられる薄手の伸縮性編地で形成されているために、このように想定して図示しない場合には縮んだ状態となり、形状を理解することが困難なため、上述のように想定している。特に、図２（Ｂ）および図２（Ｃ）ならびに図３（Ｃ）および図３（Ｄ）においては、このパンティストッキング１の特徴を容易に理解できるように、実際に着用している状態よりも足裏部５４Ｃがよく見えるように描かれている（足裏部５４Ｃは故意に見えにくい構成としている）。
【００２０】
これらの図１〜図３に示すように、このパンティストッキング１は、少なくともフット部５を備え、合成繊維を含んで一体的に編成された伸縮性編地により形成されている。そして、このパンティストッキング１の特徴として、上述した吸湿領域５０を備える。この吸湿領域５０は、本発明の必須構成要件である吸湿部５４および本発明の任意構成要件である（この吸湿部５４の周囲に設けられた）周辺部５２を含む。
【００２１】
この吸湿領域５０を構成する吸湿部５４は、フット部５の少なくとも一部に、吸湿性の高い糸をカットボスで増糸するとともに、吸湿性の高い糸をコース方向にループとミスとを繰り返すフロート編みした編地で編成されている。ここで、限定されるものではないが、この吸湿性の高い糸は短繊維であることが好ましく、綿糸であることがさらに好ましい。
【００２２】
さらに、本発明の任意構成要件として設けられる、吸湿領域５０を構成する周辺部５２は、この吸湿部５４の周囲に、親水性を付与した長繊維からなる糸を用いた編地で編成されている。ここで、限定されるものではないが、この親水性を付与した長繊維からなる糸は、高吸放湿性を備えたナイロン糸であることが好ましい。このようなナイロン糸の一例として、ユニチカ（株）製のハイグラ（登録商標）および東レ（株）製のキュープ（登録商標）が挙げられる。ハイグラは、吸水ポリマーとナイロンとの芯鞘構造糸であって、ナイロンであるにも関わらず綿以上の吸放湿性を発揮する長繊維であり、キュープは、ナイロン６に高吸水性ポリマーをブレンドしたポリマアロイの糸であって、高吸放湿性を実現したナイロン長繊維である。これらの高機能ナイロン長繊維は、高い吸放湿性に基づき着用快適性を綿に近づけつつ、従来のナイロンの機能性を保持して、ソフトでなめらかな風合いを備える点で好ましい。この周辺部５２は、このような長繊維からなる糸をカットボスで付加するとともに、このような長繊維からなる糸をコース方向にループとミスとを繰り返すフロート編みした編地で編成して、周辺部５２を吸湿部５４と同じ編み組織（カットボスして増糸する編糸は周辺部５２を吸湿部５４とで異なる）として編成することも好ましい。
【００２３】
なお、吸湿部５４であっても周辺部５２であっても、その編み組織におけるフロート編みについては、１ループに対するミスの割合が２〜５であることが後述する高い吸湿性と良好な履き心地を両立させる点で好ましい。
このパンティストッキング１においては、吸湿領域５０は、上述したように吸湿部５４とその吸湿部５４の周囲にバンド状に設けられた周辺部５２とで構成され、吸湿部５４は爪先部５４Ａ、側辺部５４Ｂおよび足裏部５４Ｃで構成されている。なお、側辺部５４Ｂの高さ方向の長さが小さい部分があり（後述する作用効果を発現するためにこのように故意に小さくしている）側辺部５４Ｂと足裏部５４Ｃとを明確に区別できない部分がある。
【００２４】
このパンティストッキング１は、その全体が一体的に編成されるために、吸湿領域５０も一体的に編成される。この場合において、このパンティストッキング１はたとえば柄編機により編成され、吸湿領域５０が、ベース（編地５１の部分）を編成する地糸（たとえばカバリング糸）とは異なる違う糸（吸湿部５４は吸湿性の高い糸、周辺部５２は親水性を付与した長繊維からなる糸）を増糸して必要以外の部分（ここでは吸湿領域５０以外の部分）をカットするカットボスの編地で編成でされている。さらに、この吸湿領域５０においては、そのカットボスで増糸された糸がコース方向にループとミスとを繰り返すフロート編みした編地で編成されている。このように編成された吸湿領域５０を備えたパンティストッキング１は、吸湿部５４により足の裏から発生した汗が吸収されて不快感は解消されるとともに、吸湿部５４に増糸した吸湿性の高い糸（綿糸等）のカットボスによる糸端を周辺部５２により目立たせないことができるので（綿糸等の糸端による嵩張り感を周辺部５２に増糸した親水性を付与した高機能ナイロン長繊維が抑えるので）見映えを美しく編成することができる。この点について図４を参照してさらに詳しく説明する。
【００２５】
図４は、吸湿領域５０における吸湿部５４および周辺部５２ならびにその境界線５５Ｂとを示した模式的な編み組織図であって、図面における左側に吸湿部５４を示し境界線５５Ｂを介して右側に周辺部５２を示している。ここで、図４中の「Ｃ」はコースを、「Ｗ」はウェールを、それぞれ意味する。以下においいて、ＳＣＹ（Ｓｉｎｇｌｅ  Ｃｏｖｅｒｅｄ  Ｙａｒｎ）は、ポリウレタン弾性糸を芯糸としてナイロン糸を１重だけ巻き付けたカバリング糸（シングルカバードヤーン）を意味する。なお、カバリング糸はＤＣＹ（Ｄｏｕｂｌｅ  Ｃｏｖｅｒｅｄ  Ｙａｒｎ）と呼ばれる、ポリウレタン弾性糸を芯糸としてナイロン糸を２重に巻き付けたカバリング糸（ダブルカバードヤーン）であっても構わない。
【００２６】
吸湿部５４の編み組織は、大略的には、ＳＣＹ１５０に綿糸１５４をカットボスして増糸した編み組織で、かつ、カットボスして増糸した綿糸１５４をコース方向（Ｃ方向）にループとミスとを繰り返すフロート編みした編地で編成されている。図４においては、カットボスで増糸された綿糸１５４は境界線５５Ｂでカットされており、その部分を綿糸端部１５４Ｅとして記載している。
【００２７】
周辺部５２の編み組織は、大略的には、ＳＣＹ１５０に高機能ナイロン長繊維１５２をカットボスして増糸した編み組織で、かつ、カットボスして増糸した高機能ナイロン長繊維１５２をコース方向（Ｃ方向）にループとミスとを繰り返すフロート編みした編地で編成されている。図４においては、カットボスで増糸された高機能ナイロン長繊維１５２は境界線５５Ｂでカットされており、その部分をナイロン糸端部１５２Ｅとして記載している。
【００２８】
なお、境界線５５Ｂについては、図１〜図３においても示しており、この境界線５５Ｂに対応して、周辺部５２と編地５１との境界線５５Ａを図１〜図３に示している。
ここで、この吸湿領域５０を構成する吸湿部５４と周辺部５２とにおいて、地糸は同じＳＣＹ１５０である。
そして、フロート編みにおいては、ループする段が吸湿部５４と周辺部５２とでウェール方向（Ｗ方向）において段違いに編成されている（図４に示す白抜き矢示）。また、吸湿部５４と周辺部５２とにおいて、限定されるものではないが、より詳しくは３ループに対して１ミスの割合でフロート編みが編成されている。このようにフロート編みにおけるループとミスとの比率は、ループ１：ミス３を一例として示すが、１ループに対するミスの割合が２〜５（ループ１：ミス２〜５）であっても構わない。また、ループに対するミスの割合は、吸湿部５４と周辺部５２とにおいて同じであっても異なっていても構わない。このようなループに対するミスの割合であると、フロート編みにおけるミスによって、ＳＣＹ１５０の芯糸として用いられているポリウレタン弾性糸が、吸湿部５４における吸湿性の高い綿糸１５４および周辺部５２における親水性の高い高機能ナイロン長繊維１５２よりも伸縮性が高くよく縮むので、綿糸１５４および高機能ナイロン長繊維１５２が膨らんで吸水性が向上したり、ふわりとした感じを発現させて履き心地を向上させたりするので、高い吸湿性と良好な履き心地を両立させる点で好ましい。
【００２９】
さらに、より具体的には、限定されるものではないが編糸については、以下の通りである。
・ＳＣＹ１５０（２０デシテックス）
芯糸：ポリウレタン弾性糸（２２デシテックス）
捲糸：ナイロン糸（１３デシテックス）
・綿糸１５４（９７デシテックス）
・高機能ナイロン長繊維１５２（５０デシテックス）
なお、高機能ナイロン長繊維１５２には、上述した東レ（株）製のキュープ（登録商標）を採用した。
【００３０】
このような編糸でこのような編み組織で編成された吸湿領域５０は、吸湿部５４において吸湿性の高い綿糸１５４が膨らんで吸水性が向上する点で好ましく、周辺部５２において親水性の高い高機能ナイロン長繊維１５２が膨らんで吸水性が向上する点で好ましく、吸湿部５４においてカットボスによりＳＣＹ１５０に増糸された綿糸１５４の綿糸端部１５４Ｅによる嵩張り感を、周辺部５２に増糸した親水性を付与した高機能ナイロン長繊維１５２が抑えるので見映えを美しく編成することができる。
【００３１】
このパンティストッキング１においては、
吸湿領域５０を、側辺部５４Ｂの高さ方向の長さを小さくして側辺部５４Ｂがほぼ存在しないようにして爪先部５４Ａおよび足裏部５４Ｃのみで構成するようにしたり、吸湿領域５０を、側辺部５４Ｂの高さ方向の長さを小さくして爪先部５４Ａをなくして側辺部５４Ｂおよび爪先部５４Ａ（足甲側）がほぼ存在しないようにして足裏部５４Ｃのみで構成するようにしたりすることも好ましい。すなわち、側辺部５４Ｂの高さ方向の長さを小さくすることを意味する。このようにすると、図２（Ａ）に示すように、爪先立ちしない通常
の状態では、爪先部５４Ａの部分しか見えず側辺部５４Ｂおよび足裏部５４Ｃは見えない。さらに、吸湿領域５０を足裏部５４Ｃのみまたは足裏部５４Ｃの一部のみとして編成することにより、爪先立ちしない通常の状態では、吸湿領域５０は見えないようにできる。このことは、極浅く爪先を覆うのみのサンダルを履いても、吸湿領域５０が見えないことを意味する。
【００３２】
このため、このパンティストッキング１を着用して、足側部を覆わないサンダルまたは履き口である甲部分が大きく開いているパンプスを履いても、サンダルの場合には足側部および足甲部は露出してパンプスの場合には足甲部は露出してサンダルまたはパンプス等の靴に吸湿領域５０が隠れて見えないまたは見えにくくなる。さらに、周辺部５２を介して、吸湿領域５０の吸湿部５４が編地５１と一体的に編成されているので、吸湿領域５０がフットカバーのように歩行等の動作によって脱げたり位置ずれしたりすることがない。このため、足底部分の吸湿性が高く、かつ、パンプスやサンダル等の足被覆部分が極めて小さい靴を履いたときであっても目立たない。なお、上述したように、足甲部分の周囲を覆うように配置される周辺部５２は本発明に係る下半身用衣類に必須の構成ではない。ここで、フットカバーとは、爪先と踵を含む足底とを被覆するとともに足甲および足首を露出するパンティストッキング等の薄手の生地で編成された下肢用衣類であって、着用時にパンプス等から露出することのないよう履き口が大きくカットされている。このようなフットカバーを着用することが（特に夏季シーズンにおいて）流行している。このフットカバーを着用してパンプスを履けば、外観上、素足にパンプスを履いているように見え、足裏とパンプスとの間にはフットカバーが介しているため、汗によって靴の中が蒸れてしまうことを防止することができる。このようなフットカバーは、ソックスカバー、インナーソックス、ヌードソックス、カバーソックス等と呼ばれる場合もある。
【００３３】
なお、パンティストッキング１を夏季シーズンに好適な下半身用衣類とするために、パンティストッキング１のパンティ部３、レッグ部２およびフット部５（フット部５については吸湿領域５０以外の編地５１部分）を構成する編地を清涼感を発生させる編糸および編成を採用することが好ましい。
さらに、吸湿領域５０においてカットボスされる糸を、このパンティストッキング１のフット部５の編地５１を編成する合成繊維と同じ色（または同じような色）とした場合には、パンティストッキング１のフット部５に編成された吸湿領域５０が目立たない点で好ましい。
【００３４】
ここで、レッグ部２および吸湿領域５０以外のフット部５を透明感のある編地として、吸湿領域５０を足裏部５４Ｃのみとして（さらに任意構成要件の周辺部５２を加えて）カットボスで編成すると、スカートを着用した場合において素足のように見えるにも関わらず、足の裏から発生した汗が吸収されて不快感は解消される点で好ましい。この場合、フットカバーの長所であるこのような不快感を解消しつつ、フットカバーの短所である足被覆部分が極めて小さい靴を履くと見える問題点も、歩行時にずれたり脱げたりする問題点も、解決することができる。このことは、フットカバーの場合にはそのフットカバーを履いた場合を想定してフットカバーが靴から見えないように靴を選ぶ必要があるが、本発明に係るパンティストッキングであると靴を選ばなくてもよいことを意味する。
【００３５】
以上のようにして、本実施の形態に係るパンティストッキングによると、そのフット部の少なくとも一部に吸湿領域５０を設けて、この吸湿領域５０においては地糸と異なる糸を増糸してカットボスの編地で編成してパンティストッキングの他の部分と一体的に編成されている。この吸湿領域５０を構成する吸湿部５４は、フット部５の少なくとも一部に、吸湿性の高い糸（綿糸１５４）をカットボスで増糸するとともに、吸湿性の高い糸（綿糸１５４）をコース方向にループとミスとを繰り返すフロート編みした編地で編成し、この吸湿領域５０を構成する周辺部５２は、この吸湿部５４の周囲に、親水性を付与した長繊維からなる糸（高機能ナイロン長繊維１５２）をカットボスで付加するとともに、このような長繊維からなる糸（高機能ナイロン長繊維１５２）をコース方向にループとミスとを繰り返すフロート編みした編地で編成している。このため、吸湿部５４および周辺部５２において吸水性が向上する点で好ましく、吸湿部５４における綿糸端部１５４Ｅによる
嵩張り感を周辺部５２に増糸した親水性を付与した高機能ナイロン長繊維が抑えるので見映えを美しく編成することができる。その結果、足底部分の吸湿性が高く、かつ、さらに吸湿性を高い足底部を編成しても見映えが美しい下半身用衣類の一例であるパンティストッキングを提供することはできる。
【００３６】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３７】
本発明は、足底部分の吸湿性が高く、かつ、吸湿性を高い足底部を編成しても見映えが美しい下半身用衣類に好適であり、特に、フット部を備えたパンティストッキング等の下半身用衣類に特に好適である。
【符号の説明】
【００３８】
１  パンティストッキング
２  レッグ部
３  パンティ部
４  股部
５  フット部
５０  吸湿領域
５２  周辺部
５４  吸湿部
【図１】
2019039109.tif 000003
【図２】
2019039109.tif 000004
【図３】
2019039109.tif 000005
【図４】
2019039109.tif 000006